(57)【特許請求の範囲】
【請求項１】
原画像に画像処理が施されている場合は前記原画像および処理済み画像を、前記原画像に前記画像処理が施されていない場合には前記原画像を記録するとともに、施された前記画像処理の内容を表す画像処理情報を記録した第１の記録媒体から、前記画像処理情報を読み出す読出手段と、
該画像処理情報により表される前記画像処理の内容と、前記原画像に施すべき新たな画像処理の内容とを比較することにより、前記原画像に前記新たな画像処理を施す必要があるか否かを判定する画像処理要否判定手段と、
前記原画像に前記新たな画像処理を施す必要がある場合に、前記第１の記録媒体から前記原画像を読み出し、前記新たな画像処理を前記原画像に施して新たな処理済み画像を取得する画像処理手段と、
該新たな処理済み画像および前記原画像を第２の記録媒体に記録し、前記原画像に前記新たな画像処理を施す必要がない場合には、該原画像または前記原画像と前記処理済み画像との組合せを前記第１の記録媒体から読み出して前記第２の記録媒体に記録する画像記録手段と、
前記新たな画像処理の内容を表す新たな画像処理情報を前記第２の記録媒体に記録する画像処理情報記録手段とを備えたことを特徴とする画像処理装置。
【請求項２】
前記画像処理手段は、前記画像処理および前記新たな画像処理が複数の処理からなる場合、前記原画像に対して施す処理を設定し、該設定した処理を前記原画像に対して施して前記新たな処理済み画像を取得する手段であることを特徴とする請求項１記載の画像処理装置。
【請求項３】
前記画像処理要否判定手段は、前記第１の記録媒体に前記画像処理情報が記録されていない場合には、前記原画像に前記新たな画像処理を施す必要があると判定する手段であることを特徴とする請求項１または２記載の画像処理装置。
【請求項４】
原画像に画像処理が施されている場合は前記原画像および処理済み画像を、前記原画像に前記画像処理が施されていない場合には前記原画像を記録するとともに、施された前記画像処理の内容を表す画像処理情報を記録した第１の記録媒体から、前記画像処理情報を読み出し、
該画像処理情報により表される前記画像処理の内容と、前記原画像に施すべき新たな画像処理の内容とを比較することにより、前記原画像に前記新たな画像処理を施す必要があるか否かを判定し、
前記原画像に前記新たな画像処理を施す必要がある場合に、前記第１の記録媒体から前記原画像を読み出し、前記新たな画像処理を前記原画像に施して新たな処理済み画像を取得し、該新たな処理済み画像および前記原画像を第２の記録媒体に記録し、
前記原画像に前記新たな画像処理を施す必要がない場合には、該原画像または該原画像と前記処理済み画像との組合せを前記第１の記録媒体から読み出して前記第２の記録媒体に記録し、
前記新たな画像処理の内容を表す新たな画像処理情報を前記第２の記録媒体に記録することを特徴とする画像処理方法。
【請求項５】
原画像に画像処理が施されている場合は前記原画像および処理済み画像を、前記原画像に前記画像処理が施されていない場合には前記原画像を記録するとともに、施された前記画像処理の内容を表す画像処理情報を記録した第１の記録媒体から、前記画像処理情報を読み出す手順と、
該画像処理情報により表される前記画像処理の内容と、前記原画像に施すべき新たな画像処理の内容とを比較することにより、前記原画像に前記新たな画像処理を施す必要があるか否かを判定する手順と、
前記原画像に前記新たな画像処理を施す必要がある場合に、前記第１の記録媒体から前記原画像を読み出し、前記新たな画像処理を前記原画像に施して新たな処理済み画像を取得し、該新たな処理済み画像および前記原画像を第２の記録媒体に記録する手順と、
前記原画像に前記新たな画像処理を施す必要がない場合には、該原画像または該原画像と前記処理済み画像との組合せを前記第１の記録媒体から読み出して前記第２の記録媒体に記録する手順と、
前記新たな画像処理の内容を表す新たな画像処理情報を前記第２の記録媒体に記録する手順とを有することを特徴とする画像処理方法をコンピュータに実行させるためのプログラム。
【発明の詳細な説明】
【技術分野】
【０００１】
本発明は、第１の記録媒体に記録された画像に対して必要であれば画像処理を施し、これにより得られる処理済み画像を第２の記録媒体に記録する画像処理装置および方法、並びに画像処理方法をコンピュータに実行させるためのプログラムに関するものである。
【背景技術】
【０００２】
デジタルカメラ等により取得された画像を記録するメディアは大容量化が進んでおり、大量の画像を記録できるようになっている。その一方で、メディアのタイプも種々変化し、過去に使用されていた容量が少ない旧タイプのメディアの使用頻度が少なくなってきており、さらには旧タイプのメディアに対して画像の読み書きを行うためのメディアドライブの製造が中止されるような事態が生じている。このように、メディアドライブの製造が中止されると、現在所持しているメディアドライブが故障したような場合には旧タイプのメディアに記録された画像を読み出して利用することができなくなってしまう。
【０００３】
このため、旧タイプのメディア（１次メディア）に記録されていた画像を大容量の新しいタイプのメディア（２次メディア）に移動することにより、画像が利用できなくなるという問題を回避できる。また、２次メディアは大容量であるため、複数の１次メディアに記録されていた画像を１つの２次メディアに統合することも可能である。
【０００４】
ところで、画像に対して、階調補正処理、露出補正処理、シャープネス処理、ホワイトバランス調整処理、手ぶれ補正処理、色調補正処理および赤目補正処理等の画像処理を施すことにより画像の画質を向上させることができるが、画像処理の内容についても日々進化しており、バージョンアップにより画像をより高画質なものとすることができるようになってきている。
【０００５】
このため、１次メディアに記録された画像を２次メディアに記録する際に、１次メディアから読み出した画像に対して画像処理を施すことが考えられる。しかしながら、１次メディアから読み出した画像がすでに画像処理が施されていたものである場合、新しいバージョンの画像処理を施しても画質の向上はそれほど期待できず、逆に画質が劣化してしまうおそれがある。
【０００６】
ここで、原画像と原画像に施すべき画像処理のパラメータとを記録しておき、画像を再生する際にはパラメータを参照して原画像に対してその都度画像処理を施す手法が提案されている（特許文献１参照）。また、原画像に対して原画像を撮影したときの撮影条件を深層暗号化して埋め込んでおき、再生時には埋め込まれた撮影条件を用いて原画像に対して画像処理を施す手法も提案されている（特許文献２参照）。
【０００７】
したがって、上記特許文献１，２に記載された手法を用いて原画像を残しておけば、新しいバージョンの画像処理を原画像に施すことができるため、より高画質の画像を再生することができる。
【特許文献１】特開２０００−６９３０４号公報
【特許文献２】特開２０００−５００４３号公報
【発明の開示】
【発明が解決しようとする課題】
【０００８】
しかしながら、画像を再生する都度画像処理を実行するのは、画像を再生する装置の処理能力が低いと、再生までに長時間を要することとなる。また、単に画像を閲覧するのみのビューアソフトを用いて画像を再生する場合、画像処理の機能を有さないことから、高画質の画像を再生することができない。
【０００９】
このため、１つの画像について、原画像と処理済みの画像とを混在させてメディアに記録することが考えられる。しかしながら、メディアに記録された処理済み画像の画像処理のバージョンによっては施さなくてもよい処理を施してしまうおそれがある。したがって、原画像と処理済みの画像とを混在させてメディアに記録すると、１次メディアから２次メディアに画像を移動する際に、どのような画像処理を施すべきか混乱が生じてしまう。
【００１０】
本発明は上記事情に鑑みなされたものであり、１次メディアから２次メディアに画像を移動する際に、混乱なく画像処理を施すことができるようにすることを目的とする。
【課題を解決するための手段】
【００１１】
本発明による第１の画像処理装置は、原画像に画像処理が施されている場合は前記原画像および処理済み画像を、前記原画像に前記画像処理が施されていない場合には前記原画像を記録するとともに、施された前記画像処理の内容を表す画像処理情報を記録した第１の記録媒体から、前記画像処理情報を読み出す読出手段と、
該画像処理情報により表される前記画像処理の内容と、前記原画像に施すべき新たな画像処理の内容とを比較することにより、前記原画像に前記新たな画像処理を施す必要があるか否かを判定する画像処理要否判定手段と、
前記原画像に前記新たな画像処理を施す必要がある場合に、前記第１の記録媒体から前記原画像を読み出し、前記新たな画像処理を前記原画像に施して新たな処理済み画像を取得する画像処理手段と、
該新たな処理済み画像および前記原画像を第２の記録媒体に記録し、前記原画像に前記新たな画像処理を施す必要がない場合には、該原画像または前記原画像と前記処理済み画像との組合せを前記第１の記録媒体から読み出して前記第２の記録媒体に記録する画像記録手段と、
前記新たな画像処理の内容を表す新たな画像処理情報を前記第２の記録媒体に記録する画像処理情報記録手段とを備えたことを特徴とするものである。
【００１２】
なお、本発明による第１の画像処理装置においては、前記画像処理手段を、前記画像処理および前記新たな画像処理が複数の処理からなる場合、前記原画像に対して施す処理を設定し、該設定した処理を前記原画像に対して施して前記新たな処理済み画像を取得する手段としてもよい。
【００１３】
また、本発明による第１の画像処理装置においては、前記画像処理要否判定手段を、前記第１の記録媒体に前記画像処理情報が記録されていない場合には、前記原画像に前記新たな画像処理を施す必要があると判定する手段としてもよい。
【００１４】
「画像処理の内容を表す情報」とは、原画像に対してどのような画像処理を施したかを表すものであり、具体的には、画像処理が複数の処理からなる場合の複数の処理の有無、各処理のバージョン、各処理のパラメータ等を用いることができる。なお、原画像に対して画像処理が施されていない場合には、画像処理の内容は、画像処理が施されていないことを表すものとなる。また、複数の画像が記録媒体に記録される場合には、画像処理情報は各画像に対応した画像処理の内容を表すものとなる。
【００１５】
本発明による第１の画像処理方法は、原画像に画像処理が施されている場合は前記原画像および処理済み画像を、前記原画像に前記画像処理が施されていない場合には前記原画像を記録するとともに、施された前記画像処理の内容を表す画像処理情報を記録した第１の記録媒体から、前記画像処理情報を読み出し、
該画像処理情報により表される前記画像処理の内容と、前記原画像に施すべき新たな画像処理の内容とを比較することにより、前記原画像に前記新たな画像処理を施す必要があるか否かを判定し、
前記原画像に前記新たな画像処理を施す必要がある場合に、前記第１の記録媒体から前記原画像を読み出し、前記新たな画像処理を前記原画像に施して新たな処理済み画像を取得し、該新たな処理済み画像および前記原画像を第２の記録媒体に記録し、
前記原画像に前記新たな画像処理を施す必要がない場合には、該原画像または該原画像と前記処理済み画像との組合せを前記第１の記録媒体から読み出して前記第２の記録媒体に記録し、
前記新たな画像処理の内容を表す新たな画像処理情報を前記第２の記録媒体に記録することを特徴とするものである。
【００１６】
本発明による第２の画像処理装置は、原画像に対して必要な画像処理を施して処理済み画像を取得する画像処理手段と、
前記原画像に前記画像処理が施された場合は前記原画像および処理済み画像を、前記原画像に前記画像処理が施されなかった場合には前記原画像を記録媒体に記録するとともに、施された前記画像処理の内容を表す画像処理情報を前記記録媒体に記録する記録手段とを備えたことを特徴とするものである。
【００１７】
本発明による第２の画像処理方法は、原画像に画像処理が施された場合は前記原画像および処理済み画像を、前記原画像に前記画像処理が施されなかった場合には前記原画像を記録媒体に記録し、
施された前記画像処理の内容を表す画像処理情報を前記記録媒体に記録することを特徴とするものである。
【００１８】
なお、本発明による第１および第２の画像処理方法をコンピュータに実行させるためのプログラムとして提供してもよい。
【発明の効果】
【００１９】
本発明による第１の画像処理方法および装置によれば、原画像に画像処理が施されている場合は原画像および処理済み画像を、原画像に画像処理が施されていない場合には原画像を記録した第１の記録媒体から画像処理情報が読み出される。そして読み出された画像処理情報により表される画像処理の内容と、原画像に新たに施すべき新たな画像処理の内容とが比較され、原画像に新たな画像処理を施す必要があるか否かが判定される。
【００２０】
そして、原画像に新たな画像処理を施す必要がある場合には、第１の記録媒体から原画像が読み出され、新たな画像処理を原画像に施して新たな処理済み画像が取得され、新たな処理済み画像および原画像が第２の記録媒体に記録される。一方、原画像に新たな画像処理を施す必要がない場合には、原画像または原画像と処理済み画像との組合せが第１の記録媒体から読み出されて第２の記録媒体に記録される。さらに、新たな画像処理の内容を表す新たな画像処理情報が第２の記録媒体に記録される。
【００２１】
このように、第１の記録媒体に記録された画像処理情報を参照することにより、第１の記録媒体に記録されている処理済み画像にどのような画像処理を施したかを知ることができるため、新たな画像処理を施すべき否か、さらには新たな画像処理に含まれる複数の処理のうちどの処理を施すべきか否かを容易に決定することができる。また、第２の記録媒体には、新たな画像処理情報が記録されるため、さらに他の記録媒体に画像を移動する際にも、新たな画像処理情報を参照すれば、第２の記録媒体に記録されている処理済み画像にどのような画像処理を施したかを知ることができることとなる。
【００２２】
また、第１の記録媒体に画像処理情報が記録されていない場合には、原画像に新たな画像処理を施す必要があると判定することにより、第２の記録媒体に記録される画像に対して確実に画像処理を施すことができるため、高画質の画像を第２の記録媒体に記録することができる。
【００２３】
本発明による第２の画像処理方法および装置は、原画像に画像処理が施された場合は原画像および処理済み画像を、原画像に画像処理が施されていない場合には原画像を記録媒体に記録するとともに、施された画像処理の内容を表す画像処理情報を記録媒体に記録するようにしたものである。このため、画像処理情報を参照すれば、記録媒体に記録されている処理済み画像にどのような画像処理を施したかを知ることができ、その結果、新たな画像処理を施すべき否か、さらには新たな画像処理に含まれる複数の処理のうちどの処理を施すべきか否かを容易に決定することができる。
【発明を実施するための最良の形態】
【００２４】
以下、図面を参照して本発明の実施形態について説明する。図１は本発明の実施形態による画像処理装置において行われる処理の概念図である。図１に示すように、本実施形態による画像処理装置１は、メモリカード、ＣＤ等の比較的容量が小さい１次記録媒体に記録された画像を、ＤＶＤ等の比較的容量が大きい２次記録媒体に移動または統合する処理を行うものである。
【００２５】
図２は本実施形態による画像処理装置の構成を示す概略ブロック図である。図２に示すように、本実施形態による画像処理装置１は、複数種類の１次記録媒体からの画像の読み出しを行う複数種類のメディアドライブ１１と、画像処理の要否を判定する画像処理要否判定部１２と、画像に対して画像処理を施す画像処理部１３と、処理済み画像等を２次記録媒体に記録するメディアドライブ１４とを備える。
【００２６】
図３は１次記録媒体のファイル構造を示す図である。図３に示すように１次記録媒体には、最上位の階層に画像処理情報.iniが記録されており、最上位の階層に形成されたＤＣＩＭフォルダ内の１００ＦＵＪＩフォルダに画像が記録されている。ここで、画像処理情報.iniが記録されている場合において、１つの画像について画像処理が施されている場合には、処理前の原画像および処理済み画像の組合せが１次記録媒体に記録され、画像処理が施されていない場合には原画像のみがそのまま記録されている。なお、原画像および処理済み画像の組合せが記録される場合は、処理済み画像に原画像のファイル名を使用しており、原画像のファイル名については、拡張子を「.ORG」に変更している。
【００２７】
図４は画像処理情報.iniの構成を示す図である。図４に示すように画像処理情報.iniには、１次記録媒体に記録されている画像についての画像処理の内容を表す画像処理情報が記述されている。画像処理情報は１次記録媒体に記録されている画像に施した画像処理のバージョンを表す[PROCESS]、および１次記録媒体に記録されている個々の画像に施した処理の具体的内容を記述する[\\DCIM\100FUJI\（ファイル名）]を含む。
【００２８】
図４に示すように、[PROCESS]には、画像処理要否判定処理のバージョン、画像処理に含まれる各種処理（ここでは露出補正処理、手ぶれ補正処理、色調処理および赤目処理）のバージョンが記述されている。
【００２９】
ここで、[PROCESS]に記述された画像処理要否判定処理のバージョンは、画像処理情報.iniに記述されている画像に対して行った画像処理要否判定処理のアプリケーションのバージョンである。また、露出補正処理、手ぶれ補正処理、色調処理および赤目処理のバージョンは、露出補正処理、手ぶれ補正処理、色調処理および赤目処理のそれぞれの処理を行うアプリケーションのバージョンである。
【００３０】
また、個々の画像に施した処理については、原画像のファイル名である「オリジナルファイル」、処理済み画像のファイル名である「処理済みファイル」が記述されている。また、画像処理に含まれる露出補正処理、手ぶれ補正処理、色調処理および赤目処理の各処理を施したか否かを表す情報が記述されている。具体的には、処理を施さなかった場合には「ＯＦＦ」、処理を施した場合には「ＯＮ」と記述されている。また、処理を施した場合にはそのパラメータも記述されている。
【００３１】
ここで、ファイル名がDSCF0001の画像の場合、露出補正処理、手ぶれ補正処理、色調処理および赤目処理のすべてに「ＯＦＦ」と記述されているため、この画像には画像処理が施されていないこととなる。また、１次記録媒体には原画像のみが記録され、「オリジナルファイル」および「処理済みファイル］には同一のファイル名であるDSCF0001.JPGが記述されている。このため、DSCF0001.JPGの画像については、画像処理情報.iniを見れば画像処理が施されていないことが分かる。
【００３２】
一方、ファイル名がDSCF0002の画像の場合、露出補正処理のみ「ＯＮ」と記述されているため、この画像には画像処理が施されていることとなる。また、１次記録媒体には原画像および処理済み画像の双方が記録され、「オリジナルファイル」には原画像の拡張子を変更したDSCF0002.ORGが、「処理済みファイル］には原画像と同一のDSCF0002.JPGが記述されている。このため、DSCF0002.JPGの画像については、画像処理情報.iniを見れば画像処理が施されており、原画像と処理済み画像の双方が１次記録媒体に記録されていることが分かる。
【００３３】
メディアドライブ１１は、各種メモリカード、ＣＤ、ＦＤ等の各種メディアからの画像および画像処理情報の読み出しを行うことができるように、複数種類のメディアに対応して複数種類設けられている。
【００３４】
画像処理要否判定部１２は、画像処理情報に基づいて１次記録媒体に記録されている画像に対して画像処理部１３による画像処理が必要であるか否かを判定する。具体的には、画像処理情報.iniに記述されている画像処理に含まれる各処理のバージョンと、画像処理部１３が行う画像処理に含まれる各処理のバージョンとを比較し、画像処理部１３が行う画像処理のバージョンの方が新しい場合に、画像処理が必要であると判定する。一方、画像処理情報.iniが記録されていない１次記録媒体から画像を読み出した場合においては、画像処理が必要であると判定する。なお、画像処理が必要であると判定しても、読み出した画像を解析した結果、画像処理が不要となる場合もある。ここで、画像処理の要否の判定は、例えば１次記録媒体に記録されている画像のファイル名順に行われる。
【００３５】
画像処理部１３は、画像処理要否判定部１２が画像処理が必要であると判定した画像について、さらに画像処理情報.iniを参照し、その画像が処理済み画像であるか原画像であるかを判定する。その画像が処理済み画像である場合には、原画像に対して画像処理を施し、さらに原画像および処理済み画像の組合せをメディアドライブ１４に送信する。
【００３６】
一方、その画像が原画像である場合には、その原画像に対して画像処理を施し、さらに原画像の拡張子を「.ORG]に変更して、原画像および処理済み画像の組合せをメディアドライブ１４に送信する。
【００３７】
なお、画像処理が必要でない場合において、その画像が処理済み画像である場合には、原画像および処理済み画像の組合せメディアドライブ１４に送信する。逆にその画像が原画像である場合には、原画像をメディアドライブ１４に送信する。
【００３８】
さらに画像処理部１３は、施した画像処理の内容を表す画像処理情報.iniを生成してメディアドライブ１４に送信する。
【００３９】
メディアドライブ１４は画像処理部１３が送信した原画像、処理済み画像および画像処理情報.iniを２次記録媒体に記録する。
【００４０】
なお、画像処理装置１は不図示の制御部を備えている。制御部は、ＣＰＵとメモリを備えた制御基板もしくは半導体装置等からなり、制御部のメモリには、メディアドライブ１１、画像処理要否判定部１２、画像処理部１３およびメディアドライブ１４を制御するためのプログラムが記憶されており、１次記録媒体からの画像および画像処理情報.iniの読み出し、画像処理の要否の判定、画像処理および２次記録媒体への画像および画像処理情報.iniの記録は、このプログラムにより制御される。
【００４１】
次いで、本実施形態において行われる処理について説明する。図５は本実施形態において行われる処理を示すフローチャートである。メディアドライブ１１に１次記録媒体が装填されることにより処理を開始し、まず画像処理要否判定部１２が画像処理情報.iniが１次記録媒体に記録されているか否かを判定する（ステップＳＴ１）。ステップＳＴ１が肯定されると後述する２回目以降の処理へ進む。
【００４２】
ステップＳＴ２が否定されると、画像処理要否判定部１２は１次記録媒体に画像ファイルが記録されているか否かを判定する（ステップＳＴ２）。ステップＳＴ２が否定されると処理を終了する。ステップＳＴ２が肯定されると、ファイル名が最初の画像を読み出し（ステップＳＴ３）、画像処理が必要か否かを判定する（ステップＳＴ４）。そして画像処理が必要である場合（ステップＳＴ４：肯定）、画像処理部１３が読み出した画像の拡張子を「.ORG」に変更してメディアドライブ１４を用いて２次記録媒体に記録する（ステップＳＴ５）、さらに読み出した画像に対して画像処理を施して処理済み画像を生成する（ステップＳＴ６）。そして処理済み画像については読み出した画像のファイル名にて２次記録媒体に記録する（ステップＳＴ７）。
【００４３】
一方、画像処理が不要である場合、画像処理部１３は、読み出した画像のファイル名を変更することなくそのまま２次記録媒体に記録する（ステップＳＴ８）。
【００４４】
そして、すべての画像について処理を終了したか否かを判定し（ステップＳＴ９）、ステップＳＴ９が否定されると、次の画像を読み出し（ステップＳＴ１０）、ステップＳＴ４に戻り、ステップＳＴ４以降の処理を繰り返す。ステップＳＴ９が肯定されると、画像処理の内容を表す画像処理情報を生成して２次記録媒体に記録し（ステップＳＴ１１）、処理を終了する。
【００４５】
図６および図７は２回目以降の処理のフローチャートである。まず、画像処理要否判定部１２が画像処理情報.iniを参照して、１次記録媒体に画像ファイルが記録されているか否かを判定する（ステップＳＴ２１）。ステップＳＴ２１が否定されると処理を終了する。ステップＳＴ２１が肯定されると、画像処理情報.iniを参照して、１次記録媒体に記録された画像のファイル名を取得し（ステップＳＴ２２）、さらに画像処理情報.iniに記述されている画像処理要否判定処理のバージョンを、現在画像処理要否判定部１２が行う画像処理要否判定処理のバージョンと比較する（ステップＳＴ２３）。そして画像処理要否判定処理のバージョンが変更されたか否かを判定し（ステップＳＴ２４）、ステップＳＴ２４が肯定されると、最初の処理対象の原画像を読み出し（ステップＳＴ２５）、画像処理要否判定部１２が画像処理が必要か否かを判定する（ステップＳＴ２６）。
【００４６】
ここで、ステップＳＴ２５において読み出される原画像は、１つの画像について拡張子が「.JPG」の１つの画像ファイルが記録されている場合はその画像を、１つの画像について拡張子が「.JPG」および「.ORG」の２つの画像ファイルが記録されている場合は、拡張子が「.ORG」の画像である。なお、ステップＳＴ２４が否定されると、すべての画像について前回の画像処理要否判定結果を読み出し（ステップＳＴ２７）、ステップＳＴ２５に進み、原画像を読み出した後、前回の画像処理要否判定結果を参照して画像処理の要否を判定する。
【００４７】
そして画像処理が必要である場合（ステップＳＴ２６：肯定）、画像処理部１３が読み出した画像の拡張子を必要であれば「.ORG」に変更してメディアドライブ１４を用いて２次記録媒体に記録し（ステップＳＴ２８）、画像処理要否判定部１２が画像処理バージョンに変更があるか否かを判定し（ステップＳＴ２９）、ステップＳＴ２９が肯定されると、画像処理部１３が読み出した画像に対して画像処理を施して処理済み画像を生成する（ステップＳＴ３０）。そして処理済み画像については読み出した画像のファイル名にて２次記録媒体に記録する（ステップＳＴ３１）。
【００４８】
一方、ステップＳＴ２９が否定されると、１次記録媒体に記録された処理済み画像をそのまま２次記録媒体に記録する（ステップＳＴ３２）。
【００４９】
また、ステップＳＴ２６が否定されると、読み出した画像のファイル名を変更することなくそのまま２次記録媒体に記録する（ステップＳＴ３３）。なお、画像処理要否判定処理のバージョンに変更がなかった場合は、ステップＳＴ２６は必ず否定されることとなる。
【００５０】
そして、すべての画像について処理を終了したか否かを判定し（ステップＳＴ３４）、ステップＳＴ３４が否定されると、次の画像を読み出し（ステップＳＴ３５）、ステップＳＴ２６に戻り、ステップＳＴ２６以降の処理を繰り返す。ステップＳＴ３４が肯定されると、画像処理の内容を表す画像処理情報を生成して２次記録媒体に記録し（ステップＳＴ３６）、処理を終了する。
【００５１】
このように、本実施形態によれば、１次記録媒体に記録された画像処理情報を参照することにより、１次記録媒体に記録されている処理済み画像にどのような画像処理を施したかを知ることができるため、新たな画像処理を施すべき否か、さらには新たな画像処理に含まれる複数の処理のうちどの処理を施すべきか否かを容易に決定することができる。また、２次記録媒体には、新たな画像処理情報が記録されるため、さらに２次記録媒体から３次、４次等、他の記録媒体に画像を移動する際にも、新たな画像処理情報を参照すれば、２次記録媒体に記録されている処理済み画像にどのような画像処理を施したかを知ることができることとなる。
【００５２】
また、１次記録媒体に画像処理情報が記録されていない場合には、原画像に新たな画像処理を施す必要があると判定することにより、１次記録媒体に記録される画像に対して確実に画像処理を施すことができるため、高画質の画像を２次記録媒体に記録することができる。
【００５３】
以上、本発明の実施形態に係る装置１について説明したが、コンピュータを、上記の画像処理要否判定部１２および画像処理部１３に対応する手段として機能させ、図５から図７に示すような処理を行わせるプログラムも、本発明の実施形態の１つである。また、そのようなプログラムを記録したコンピュータ読み取り可能な記録媒体も、本発明の実施形態の１つである。
【図面の簡単な説明】
【００５４】
【図１】本発明の実施形態による画像処理装置において行われる処理の概念図
【図２】本実施形態による画像処理装置の構成を示す概略ブロック図
【図３】１次記録媒体のファイル構造を示す図
【図４】画像処理情報.iniの構成を示す図
【図５】本実施形態において行われる処理を示すフローチャート
【図６】２回目以降の処理のフローチャート（その１）
【図７】２回目以降の処理のフローチャート（その２）
【符号の説明】
【００５５】
１      画像処理装置
１１，１４    メディアドライブ
１２    画像処理要否判定部
１３    画像処理部
【図１】
0004515341.tif 000002
【図２】
0004515341.tif 000003
【図３】
0004515341.tif 000004
【図４】
0004515341.tif 000005
【図５】
0004515341.tif 000006
【図６】
0004515341.tif 000007
【図７】
0004515341.tif 000008